(57)【要約】【課題】▲１▼結びつけなく、ＰＵ腺を輪状にすること。▲２▼任意に「固定珠」を移動し、線の環状部と両末端から脱落しないこと。▲３▼伸縮自由しかも、一定の張力の安定性を保つこと。▲４▼環境・資源を大切に繰り返し使っても、線が損傷されなく、従来の包装用品の単純性能と使い捨ての包装用品技術を超越する。【解決手段】▲１▼ＰＵ線に「固定珠」を装着し、それを移動する方法で輪のサイズを自由に調整できる。▲２▼ＰＵ線の環状部と両末端に「安全珠」を装着する（或いは線を太く加工処理する）ことで解決する。▲３▼解決要点：ａ．「滑り」と「渋い」の原理を利用し、「固定珠」の穴が単線より大きく二股線より小さい間の寸法を確定すること。ｂ．強力なＰＵ線を選択し、或いは、ＰＵ線の中に非ＰＵ線を加えることによって、線の張力を強める。ｃ．「固定珠」の穴の内側に‘ライフル’線を施し、「固定珠」の安定性を高める。▲４▼樹脂材料の「固定珠」を使って、安定性を保ちながら問題を解決する。【選択図】図２７
2008238803.tif 000002
【特許請求の範囲】
【請求項１】
ポリウレタン線に「移動式固定珠」（以下略「固定珠」）を一つ（或いは一つ以上）つけることによって、ワゴムの伸縮自在の使用効能を持つだけでなく、また装飾性能も持ち、使用効能と装飾性能の兼備で、適用範囲の広く、繰り返し使っても美観性を保つことを特徴とする高性能と多効能の輪状をなす「香香輪」（シャンシャンリン）、英文「Ｘｉａｎｇ・ｘｉａｎｇ・Ｌｉｎ」、中文「香香環」、以下「ＸＸＬ」で示す。）である。
「ＸＸＬ」は大きく３分野に分けて、（請求項２）（請求項３）と（請求項４）で分けて請求する。
【請求項２】
（請求項１）の分枝項として、装飾性分野の「ＸＸＬ」であり、ポリウレタン線に着けられた「固定珠」の上端（或いは二つの「固定珠」の間）に、装飾性のあるビーズ（或いは装飾物）をつけることによって、従来のワゴムの伸縮自在の使用効能を持つだけでなく、また美観性も持つ。装飾性を特徴とした（請求項１）記載の「ＸＸＬ」。
【請求項３】
（請求項１）の分枝項として、オリジナルスタイルと素材を特徴とする効能性分野の「ＸＸＬ」であり、ポリウレタン線にただ一つの「固定珠」をつけ、ワゴムの伸縮自在の締結効能を持つだけでなく、ほかの多目的にも適用するものになる。シンプルなオリジナルスタイル、しかも高性能と多功能性をもつことを特徴とする（請求項１）記載の「ＸＸＬ」。
【請求項４】
（請求項１）の分枝項として、各種の変形性を特徴とする効能性分野の「ＸＸＬ」であり、使用目的・対象と範囲によって各種変形（様式）の設計を要求され、使用方式も変わる。例えば、服飾類にある挿入式、付着式などのため、設計された各種変形を特徴とする（請求項１）記載の「ＸＸＬ」。
【請求項５】
（請求項２）の分枝項として、アクセサリ型（ネックレス、ブレスレット等）を特徴とする（請求項２）記載の「ＸＸＬ」。
【請求項６】
（請求項２）の分枝項として、二股線式アクセサリ型（ネックレスのほか、贈答品の包装用等）を特徴とする（請求項２）記載の「ＸＸＬ」である。即ち、異色の二股線（同色でもよい）を使って（請求項２）記載の実施方法で仕上げる。
【請求項７】
（請求項２）の分枝項として、展示型（吊る・掛ける形式など）を特徴とする（請求項２）記載の「ＸＸＬ」。
【請求項８】
（請求項２）の分枝項として、贈答品型（各種贈答品の包装など）を特徴とする（請求項２）記載の「ＸＸＬ」。アクセサリ型の「ＸＸＬ」を活用以外，贈答品の形・色・サイズ等設計された「ＸＸＬ」。
【請求項９】
（請求項３）の分枝項として、小型軽量（封筒・雑誌・チラシ・小物まとめ等）の品物をワゴムのように留めておく文具型を特徴とする（請求項３）記載の「ＸＸＬ」。即ち、最もシンプルなカラフル「ＸＸＬ」であり、「ＸＸＬ」の原型でもある。
【請求項１０】
（請求項３）の分枝項として、用具型を特徴とする（請求項３）記載の「ＸＸＬ」。即ち、大型（容積大）重量（重い）の大きな（家具・運送箱・スーツケース等）品物及びそれらの使用方式（締結式・吊る掛け式・連結式など）によって、設計された平たい帯（式）形「ＸＸＬ」である。
【請求項１１】
（請求項４）の分枝項として、単線型を特徴とする（請求項４）記載の「ＸＸＬ」。即ち、線の両端にそれぞれ「固定珠」（或いは「装飾性固定珠」）を装着し、それから「安全珠」とツブシパーツで留める（或いは末端に太く加工処理する）。
【請求項１２】
（請求項４）の分枝項として、双線型を特徴とする（請求項４）記載の「ＸＸＬ」。即ち、平行の二股線に（請求項１１）の方法を実施する。
【請求項１３】
（請求項４）の分枝項として、Ｘ型を特徴とする（請求項４）記載の「ＸＸＬ」。即ち、平行の二股線の中央に「固定珠」（或いは「装飾性固定珠」）を装着し、開放の一端に「イの字」型の抜け止めを施して、もう一端に「安全珠」とツブシパーツで留める（或いは太く加工処理する）。
【請求項１４】
（請求項４）の分枝項として、親子型（ネックレス・キーホルタ・メガネかけ・瓶などのため）を特徴とする（請求項４）記載の「ＸＸＬ」。即ち、原型（親を指す）の「ＸＸＬ」に又一つ或いは一つ以上の小型（子を指す）の「ＸＸＬ」を付加する。
【請求項１５】
（請求項４）の分枝項として、連環型（複数以上の品物を同時、同地に固定するため適用する）を特徴とする（請求項４）記載の「ＸＸＬ」。即ち、原型の「ＸＸＬ」に又一つ或いは一つ以上の「ＸＸＬ」を付加する。
【発明の詳細な説明】
【技術分野】
【０００１】  本発明は、ポリウレタン（Ｐｏｌｙｕｒｅｔｈａｎｅ）線（以下、ＰＵ線で示す。）に装着した「固定珠」を移動する方法でＰＵ線輪の大きさを調節することによって、ワゴムの伸縮自在の調節性能を持つだけでなく、また包装用アルミ紐・糸紐などの固定と装飾性能も持ち、さらに繰り返し使っても美観性を保つことができる効能性と装飾性兼備の「香香輪」（以下「ＸＸＬ」で示す。）に関する。
【背景技術】
【０００２】  従来の伸縮調節による功能するものにはワゴムや平たいワゴムがある。また、結ぶことによって固定する功能を求めるものにはアルミ糸、ビニール紐、各種の紙紐などがある。
ワゴムは、締結用具（例えば、文具品類のワゴム）として、よく使われ、主に伸縮調節の効能を果たす。その中にカラーワゴムもあるにもかかわらず、装飾功能を示すとは言えない。【０００３】  ヘアバンドは、ワゴムの外側にカラー糸の織物で包み、より美観的堅牢的になった。しかし、既製品であり一定のサイズに限られ、使用功能が単一で使用範囲も狭いものである。【０００４】  造型式ワゴムは、従来のワゴムの円形を各種形状（例えば、動物形状）に作り上げ、静止状態では鑑賞性能を持たせているが、この鑑賞性能は伸縮調節の性能と同時に果たせない。【０００５】  従来の装飾性のある包装用品は、例えば、包装用アルミ紐、また、合成のビニールカラー紐類、紙紐、糸紐などは、全て結ぶ方法で固定するものであり、一定の装飾性を有していても、使用のあと、元の形に戻り難いので、包装装飾の観点（視点）でみれば、一回限りの使用しかできない。【０００６】  また、ナイロン製結束バンドなどは、外見が簡潔でしかも所定されたサイズに迅速固定できる実用性のかなり高い用品であるが、包装装飾の観点（視点）でみればこれもただ固定するという単一の機能しか持たない一回限りの使用しかできないものである。【０００７】  以上を、まとめてみれば、包装領域において従来の技術の欠点は、使用性能の単一性問題および使用性能と装飾性能兼備の一回限りの使用しかできないという問題を有しているものである。
【発明の開示】
【発明が解決しようとする課題】
【０００８】  一回限りの使用しかできないものではなく、ＰＵ線などを活用して繰り返し使用するためには、下記の４つの課題を解決しなければならない。
１．結びつけないことを前提にして、ＰＵ線をワゴムのように自由に伸縮できる輪状にすること。【０００９】  ２．任意に「固定珠」を移動する時、線の環状頂端或いは開放の両末端から脱落しないこと。【００１０】  ３．伸縮自由を前提にして、一定の張力の安定性を保つこと。その要点は、
ａ．ＰＵ線の太さと「固定珠」の穴の大きさの寸法比率を確定する。
ｂ．一定の聴力にたえる強度がＰＵ線にあること。
ｃ．「固定珠」の安定性を保てること。の３点である。【００１１】  ４．環境・資源を大切に繰り返して使えるように、「固定珠」の安定性を前提にして、固定点にあるＰＵ線が損傷されなく、従来の包装用の単純性能と使い捨ての包装用品技術を超越したところの、美観と実用、しかも高性能・多効能の「ＸＸＬ」を提供すること。
【課題を解決するための手段】
【００１２】  課題を解決する手段を下記のように４項（１〜４）に分けて、〔図２〕に記載した符号を併用して、詳細に述べる。
１．ＰＵ線（７）に「固定珠」（２）を装着する方法によって、結ぶことの代替ができる。また、「固定珠」を移動する方法で輪のサイズを調節し、伸縮自由の問題を解決する。具体的な実施方法は、線の一端を「固定珠」の穴に挿入し、そして線を引っ張ることによって細くなるので、線のもう一端を穴に挿入する。こうすることによって、「固定珠」の一端では、線が環状になりもう一端では開放された２本の線になる。これで結ぶ問題と伸縮調節の問題を一遍に解決できる。【００１３】２．任意に「固定珠」を移動する時、「固定珠」の穴から線の環状頂端或いは開放末端から脱落しないようにするという課題に関しての解決する手段は、装飾型とオリジナルスタイル効能型の二分野に分けて下記のように実施する。【００１４】  ▲１▼装飾型分野の「ＸＸＬ」の実施例：
「固定珠」（２）を装着する前に、「安全輪珠」（１）を先に装着し、「固定珠」を装着した後線の両末端にも「安全端珠」（５）を夫々に装着して、最後にツブシパーツ（６）で留める。〔図１〕及び〔図２〕参照。
これで脱落する問題を解決できる。この場合、「安全珠」（安全輪珠と安全端珠の総称）（１）（５）の外形寸法は、「固定珠」（２）の穴より少々大きくなければならないことを要す。【００１５】▲２▼オリジナルスタイル効能型分野の「ＸＸＬ」の実施例：
ＰＵ線（７）にサイズを調節するためのただ一つの移動式「固定珠」（２）を装着し、上述の例で脱落を避ける役目の「安全珠」の替わりにＰＵ線の輪状頂端と開放の両末端にだんだん太く加工処理することによって、課題を解決できる。〔図１７〕参照。【００１６】３．張力の安定性を保つ問題に関して解決する要点が３つある。
ａ．ＰＵ線の太さと「固定珠」の穴の寸法比率を確定することは、安定性問題を解決するために肝要である。「固定珠」を移動すると、引っ張る力でＰＵ線が細くなって「固定珠」を自由に滑らせられる。しかも、「固定珠」を停め、一点に固定すると，ＰＵ線が元に縮まりの元の太さになり、「固定珠」と密接するので、渋い摩擦力が生じる。この『滑りと渋い』の原理を利用して、「固定珠」の穴は単線の太さより大きく、二股線より小さい間の寸法に設定すれば、無段階の自由調整、また一定の張力を保つことを解決できる。【００１７】ｂ．強力のＰＵ線を選択し、或いは製作することによって、張力の不足で安定しないことを避ける。使用目的の需要によって、即ち、ＰＵ線の中に非ＰＵ線を加え、所定の張力を耐えるようにする。
ここに記載したＰＵ線の中に非ＰＵ線を加え線は、魚釣り用の糸として、一般的に使用されているものである。【００１８】ｃ．「固定珠」の穴の内壁に‘ライフル’線を施し、「固定珠」の安定性を高める。【００１９】４．張力の安定性を保つことを前提にして、いかに固定点にある線が損傷されないことを解決する手段は、「固定珠」の材質も弾力性のある樹脂材料を選択し、これによって摩擦力が大きくなって、安定性を更に強めるほかにまた線の損傷問題も解決される。【００２０】  これまで装飾性と効能性の二分野における「ＸＸＬ」の基本的課題及び解決手段を詳細に述べた。本発明は、この二分野に基づいて使用目的と対象などによって色々な類型の「ＸＸＬ」を設計し、上述の二分野に属さない類型を「変形性分野」としてまとめる。これから各分野にある分類型及びその実施方法、特徴と使用範囲、活用する方式方法など下記のようにまとめる。
先ず、全ての分野分類型ならびにそれらの方式・方法などを一覧表にまとめると表１１〜表１４の通りとなる。（表１１〜表１４参照）【００２１】Ｉ、装飾性分野の「ＸＸＬ」−−−即ち装飾性の特徴が持つ実用性兼備の「ＸＸＬ」の分類型：
１）  アクセサリ型（ネックレス・チョーカ、ブレスレット、指輪、ヘアバンド、ヘアピン、花瓶など嵌めこむできる品物等）の「ＸＸＬ」。〔図２〕〔図６〕〔図７〕。
実施例の一つは、「固定珠」の上に或いは２つの「固定珠」の間に装飾珠（或いは装飾物）を装着する。所定された輪状の使用範囲の最小（或いは最大）のサイズが影響されないことを前提にして、また「固定珠」と「安全輪珠」或いは「安全端珠」の間、任意に単線の移動式「装飾性固定珠」（９）（或いは２つの単線「固定珠」（２）の間に「装飾珠」）を装着することによって、装飾性をより強めるものである。
〔図８〕〔図９〕〔図２７〕〔図２８〕参照。
（注：単線の移動式「固定珠」或いは「装飾性固定珠」は少ない外力で移動できるので、その安定性が相対的である。それゆえ、単線につける珠は重過ぎないものを使用した方がよい）【００２２】  特典と使用対象：それぞれの人の好みによって、何時でも任意に長さや装飾物の位置を調節できるので、ネックレス一つでブレスレットやアンクレット（足輪）にも兼用できる一式多様一式多用できるアクセサリである。また、水や汗に強い素材でできたものでアクセサリとして夏季に最適である。
適用範囲：女性或いは男女若者のアクセサリ、吊りかけ式展示品の用具、贈答品の包装など。【００２３】２）展示型の「ＸＸＬ」。
アクセサリ型の実施方法を活用できるほか、所定された展示品によって色々な様式或いは使用形式の「ＸＸＬ」を設計できる。例えば：吊る・掛ける・付ける・放置する・締結するなどの方式で展示の目的を達成する。実施例の一つは、美術品（或いは写真額縁）を吊り掛ける方法である。実施の条件は、
−−−額縁の裏面の付け具が額の上半部或いは上端、又平行線の対称の両点。
−−−額縁の裏面の付け具が開放式（閉鎖式場合、あとの連結型を選択できる）。
実施方法は、額縁の裏面に付けられた付け具（平行の両方）を直接に「ＸＸＬ」の環状部にかけ、それから所定の固定点（壁や天井）に吊る。これは、三角形になった「ＸＸＬ」の「固定珠」で吊るされた展示品の高さを所定の位置にし、固定するのが目的である。〔図４〕〔図５〕参照。【００２４】  特典と使用対象：アクセサリ型の任意に装飾物を変化させ、位置の調節と固定する効用性を持つほか、展示品を引き立てたせる装飾性も持つ。また、吊るされる展示品の安定性と使用上の利便性がある。
適用範囲：家庭、学校、音楽ホール、展示場、美術館、博物館、百貨店など。【００２５】３）贈答品型の「ＸＸＬ」
装飾性を強調して設計された各種の贈答品の包装用用品である「ＸＸＬ」。実施方法は２種に分ける。
ａ）アクセサリ型の借用（活用）
包装袋の開口をアクセサリ型の「ＸＸＬ」で締めこむ。〔図１０〕参照。
ｂ）二股線式のアクセサリ型
小型贈答品の外装箱を実施の一例とする。もちろん、アクセサリ型「ＸＸＬ」を使って、外相箱を十字形などにつけ締めることができる。〔図１２〕参照。
また、贈答品の外形或いは外装箱の大きさ・色・形などによって設計された「二股線式」のアクセサリ型「ＸＸＬ」もある。即ち、装飾性「ＸＸＬ」（アクセサリ型）の基本的形を変えず、単線を二股線に変えるだけで、ほかの実施方法は全く同じである。〔図１１〕参照。使われる二股線の色は同色でも異色でも可能である。
（注：包装締結の安定性を保つため、箱と密接する「ＸＸＬ」の環状部に装着された「安全輪珠」と「固定珠」の上端の装飾物以外、ほかのビーズを付けないほうがよい。「固定珠」と「安全端珠」の間「装飾性固定珠」など装着してもよい。）〔図１６〕参照。【００２６】  特典と使用対象：アクセサリ型「ＸＸＬ」の特典を持つほかに、包装の仕方において、十字形・平行斜線形〔図１３〕・Ｘ形〔図１４〕・非対称ファッション形〔図１５〕がなどできる。ワゴムの感覚で簡単に瞬時に付けられ（包装する）、はずせる。包装された贈答品がより個性的より美観的であり、使いみちを変え、大きさを変え繰り返し使え、一式多様一式多用の「ＸＸＬ」である。
適用範囲：箱・袋・封筒など、方形・円形・巻き形などの贈答品包装、商店用各種の贈答品及びその外装箱の包装。【００２７】ＩＩ、オリジナルシンプルスタイル効能性分野の「ＸＸＬ」−−−即ちオリジナル外形と素材を特徴とする「ＸＸＬ」であり、「ＸＸＬ」の原型でもある。〔図１７〕参照。
１）文具型「ＸＸＬ」（小型・軽量な品物に適用する。例えば封筒・小物まとめ・方形箱・巻き形チラシ・雑誌等）〔図１８〕参照。
即ち、オリジナルシンプルスタイルとオリジナル部材の実施・製作されたいろいろなサイズと色の「ＸＸＬ」。これは、まるで日常に使って慣れたワゴムのように至るところにあり、主に小型或いは軽量な品物の締結に用いる。実施例は、上記の「解決手段」のところで述べたように、ＰＵ線にただ一つの移動式「固定珠」を装着され、環状部と両末端部に太く加工処理するものである。【００２８】  特典と使用対象：外見簡単、実用性が強く、使用範囲が広い。締結用具として使用方法簡単。全ての形とサイズの文具類に付けかけられ固定功能を果たせる。
箱など方形以外、雑誌類・カレンダー・チラシなどの巻き型にも適用である。実用的で廉価でしかも美観的なワゴムの代用品だといえる。
適用範囲：各形各色各サイズの文具用品と日常生活中の各種の小型軽量な品物。【００２９】２）用具型の「ＸＸＬ」
各種の締結・吊り掛け物の用具として設計された用品。その使用方式が三種類に分けられる。
ａ）吊り掛け式
小さな「値札」や「名刺」から大きな美術品の額縁などまで、吊り掛け方式で固定作用を求める用具とする〔図１９〕。よくみられる集会の時使われたストラップ「名刺」を実施例とする。名刺に折り畳んだ線の両端の切り口を線の環状部に乗せる（線を切り口にしっかり寄せ）。安定した三角形になって即使用できる。【００３０】  特典と使用対象：文具型の特典を持つほかに、高さ及び間隔を自由に調節できる。吊り掛け・掛け嵌め・締結など多種な使用方式できる一式多用功能を持つ。外見のシンプルさと無色透明なので附着されたほかの静物と相性しやすい。
適用範囲：家庭、学校、会議、商店、博物館、美術館、写真館などの場所。
商品名称、値札、名札など適用する。【００３１】  ｂ）締結式
小さい弁当箱から大きいスーツケース・運送箱など及び家具食棚類など、締結式で固定作用を求める用具とする。〔図１９〕参照。【００３２】  特典と使用対象：文具型の特典を持つほかに、長さ大きさを自由に、瞬時に、精確に調節できる。繰り返し使える。
適用範囲：家庭、学校、引越、搬入運送業、商店など。【００３３】  ｃ）連接式的‘ＸＸＬ’
「ＸＸＬ」に締結された物体をほかの固定体或いは固定物と連結することによって、二重的安定性を求める用品。
実施方法は、「ＸＸＬ」の環状にもう一つ（或いは一つ以上）の「ＸＸＬ」を付加して、連環式の「ＸＸＬ」となる（詳しくは後の変形性分野にある連環型「ＸＸＬ」で述べる）。【００３４】  特典と使用対象：締結型の特典をもつほかに、高さの大きい家具類、ピアノなど重量のあると体積の大きいものにワイヤ・チェーン・ベルトの代わりに防災固定用具としても適用する。実用性をもち、コンパクトで目立たなく（透明だから）常備状態で使ってもよい。
適用範囲：家庭、学校、引越、運搬業、商店、家具、ピアノなどの防災用具。【００３５】ＩＩＩ、変形性分野の「ＸＸＬ」−−−即ち、Ｉ，ＩＩの分野の両方の性能を兼備の上に産れた各種変型によって実用性を獲得するものを特徴とした「ＸＸＬ」の変型。
「ＸＸＬ」を付着品として色々な使い道がありえる。例えば、服飾類において、運動服から下着まで、また靴・帽子など服飾着用の付着性のサイズ調節用品とする。文具型の「ＸＸＬ」のほかに、運動服・作業服・靴紐・帽子の防脱落用などに使う調節用品のために設計した「単線型」・「双線型」・「Ｘ型」など変型性「ＸＸＬ」も設計された。これらを下記のように説明する。【００３６】ＩＩＩ−１）単線型「ＸＸＬ」
単線型「ＸＸＬ」は、単線の両端に「固定珠」を別々に装着することによって、両端から調節と固定できる功能を求める「ＸＸＬ」の変型である。実施の方法は、単線の両端に「固定珠」（或いは「装飾性固定珠」）を別々に装着してから、ツブシパーツで留める（前文装飾型「ＸＸＬ」を参照）或いは線の両末端に太く加工処理する（文具型「ＸＸＬ」を参照）。〔図２０〕参照。【００３７】  特典と使用対象：両端から調節と固定できるので、服飾類の両側対称の調節に適用する。従来のものと比べて、よりシンプル、より便利、より洒落になる。
適用範囲：挿入形式のものと両端から調節する必要な品物（衣服類の内部など）。婦人・児童・若者は装飾型が適用する外、効能型はすべての人に適用する。【００３８】ＩＩＩ−２）双線型「ＸＸＬ」
双線（二股線）型「ＸＸＬ」は即ち、二股線に単線型「ＸＸＬ」の実施方法を行うことによって構成された「ＸＸＬ」の変型である〔図２１〕。単線型と比べ、より強い張力が耐えられる。使用方式もより多くなる。例えば、単線型の挿入方式のほか、付け掛け（つまり「用具型」の方式と「単線型」の両端からの調節方法で）などの方式も使用できる。【００３９】  特典と使用対象：両端から調節と固定することができるので、任意の適用性がある（つまり、好きなようにすることができる）。使用上により便利。
適用範囲：挿入式、付けかけ式の品物（衣服類の内部など）。【００４０】ＩＩＩ−３）Ｘ型「ＸＸＬ」：
Ｘ型は即ち、一つの「固定珠」を平行の二股線の中央に挿入し、Ｘ状にさせる〔図２２〕。開放の一端の両線端には、「イの字」型の抜け止めを施して、他の一端は、アクセサリ型（即ち：安全珠を使用する。また、安全珠と固定珠の間に装飾珠を装着してもいい）或いは文具型（即ち：太く加工処理）の方式で留める〔図２３〕。
例えば、帽子に付ける防脱落用紐或いは靴紐などこのＸ型に適用する。帽子の防脱落用紐を例にしてみよう。実施方法は、「イの字」型の抜け止めで両端を帽子縁の両側に別々で固定し、そして固定珠の移動で調節して、脱落することを防止できる〔図２６〕。【００４１】  特典と使用対象：何時でも自由に調整できるので、従来のものと比べ、より実用的、より洒落、より便利になる。
適用範囲：帽子防脱落紐、靴紐など。服飾以外に介護用品、運動用品、作業用品など。【００４２】ＩＩＩ−４）親子型「ＸＸＬ」：
親子型は即ち、原型（親を指す）の「ＸＸＬ」に又一つ或いは一つ以上の小型（子を指す）の「ＸＸＬ」を付加する。〔図２４〕
ネックレスの場合、親「ＸＸＬ」に装飾珠或いは装飾物が付けられた子「ＸＸＬ」が付加する。メガネかけの場合、付加された子「ＸＸＬ」の環状にメガネのつるを差し入れ、それから「固定珠」で大きさを調節する。キーホルタ（活環式を前提として）の場合、キーホルタを子「ＸＸＬ」につける。瓶かけの場合、瓶口を子「ＸＸＬ」の環状に嵌め、それから「固定珠」で大きさを調節する。【００４３】  特典と使用対象：ネックレス（アクセサリ）として、より美観、キーホルタ・メガネかけ・ベットボルトかけとして、より便利。
適用範囲：ネックレス（アクセサリ）として女性に、キーホルタとして小学生・子供に、瓶かけとして出かけ・旅行に、メガネかけとして年寄りに適用である。【００４４】ＩＩＩ−５）連環型「ＸＸＬ」：
連環型は即ち、原型の「ＸＸＬ」に又一つ或いは一つ以上の「ＸＸＬ」を付加する。〔図２５〕参照。複数以上の品物を同時或いは同地に固定するには適用する。【００４５】  特典と使用対象：
複数以上の品物を同時同地に固定できるので、適用範囲広い。
適用範囲：防災用品として、家庭、学校、倉庫、収納など。【００４６】  これまで３つの分野に分けて「ＸＸＬ」の全部類型をまとめてきた。さらに、本発明の原理・過程・方式方法・特典・用途及び使用範囲などについて説明した。
これから発明理念の観点（視点）から本発明の効果と発明特点などをまとめる。
【発明の効果】
【００４７】  以上説明してきたように、本発明の（請求項１）記載のようにＰＵ線に「移動式固定珠」を一つ（或いは一つ以上）つけることによって、自由に伸縮調節ないし固定することできる使用性能を持つ。使用性能と装飾性能の兼備、繰り返し使っても美観性を保つことを特徴とする高性能と多効能の「ＸＸＬ」をできるようにした。【００４８】  本発明の特点と効能：その一
本発明の最大の特点は、実用性と装飾性を兼備させることを前提条件として、繰り返し使っても美観性を保てるようにしたことである。
言い換えれば、地球環境の保全と省資源を理念に掲げて、「使い捨ての習慣」を「繰り返し使用する習慣」に換えたいとの発明者の強い思いから「繰り返し使用に耐える」効能を有する締結用品類を提供できるようにしたことである。【００４９】  本発明の特点と効能：その二
本発明は締結用品の単一性能を超越し、装飾性と効用性を兼備させた。言い換えれば、締結用品の性能と使用方式の兼用性・多用性、いわゆる締結技術領域に一式多様・一式多用という広い活用空間を提供した。「ＸＸＬ」の一式多様・一式多用に関して（表２）にまとめる【００５０】  本発明の特点と効能：その三
「ＸＸＬ」の使用における特点は無階段的調節、固定点の迅速精確、操作方法簡単、一式多用と繰り替えし使っても美観性を保つことができる。それ故、本発明の特点と効能は従来の用品と比べて、より簡単・より実用・より美観だと言える。【００５１】  ここで、「一式多用ＸＸＬ」とも換言できる本発明品の提供による効果を従来品と比べてまとめると表２の通りとなる。
【表２】
2008238803.tif 000003
【本発明を実施するための最良の形態】
【００５２】  上述のようにＰＵ線を活用した実施例のほか、効能性「ＸＸＬ」のように大きい体積・重量の箱類のために、平たいＰＵ帯を使用した設計にすることを提言する。これは、放置・積み立て放置の安定性と合理性がある。
【００５３】  使用対象や範囲に応じた「ＸＸＬ」の推奨寸法を設定するための参考数値をまとめると表３の通りとなる。
【表３】
2008238803.tif 000004
【産業上の利用可能性】
【００５４】  本発明は、ＰＵ線をワゴムのように自由に伸縮できる輪状にすることにより、一回限りの使用しかできないものではなく、繰り返し使用するため．環境に優しく・省資源に寄与できる。従来の包装用の単純性能と使い捨ての包装用品技術を超越したところの、美観と実用、しかも高性能・多効能であり、産業上、その利用範囲は極めて高いものである。
【図面の簡単な説明】
【００５５】〔表１１〕本発明品の効能性と装飾性兼備する「ＸＸＬ」の実施例の一覧表であり、以下の〔図１〕から〔図２６〕の図面を記載している。
〔表１２〕「表１１」の第２ページ目である。
〔表１３〕「表１１」の第３ページ目である。
〔表１４〕「表１１」の第４ページ目である。
【図１】本発明実施の形態における一例を示す平面写真である。
【図２】本発明品の部材構成を示す図である
【図３】本発明品の装飾性兼備分野のアクセサリ型の実施例の写真である。
【図４】本発明品の展示型の実施例の正面写真である。
【図５】本発明品の展示型の実施例の裏面写真である。
【図６】アクセサリ型の実施例としての指輪の写真でである
【図７】アクセサリ型の実施例としてのヘアピンの写真である
【図８】アクセサリ型の実施例としての装飾珠の写真である
【図９】アクセサリ型の実施例としての装飾珠の写真である
【図１０】贈答品包装型の「ＸＸＬ」の実施例の写真である。
【図１１】二股式アクセサリ型の「ＸＸＬ」の実施例の写真である。
【図１２】単線十字式の実施例の写真である。
【図１３】平行斜線式の実施例の実施例の写真である。
【図１４】Ｘ式の実施例の写真である。
【図１５】ファッション式の実施例の写真である。
【図１６】二股十字式の実施例写真である。
【図１７】本発明品のオリジナルシンプルスタイルの実施例の写真である。
【図１８】文房具型の実施例の写真である。
【図１９】用具型の実施例の写真である。
【図２０】単線型の実施例の写真である。
【図２１】双線型の実施例の写真である。
【図２２】Ｘ型の実施例の写真である。
【図２３】Ｘ型の他の実施例の写真である。
【図２４】親子型の実施例の写真である。
【図２５】連環型の実施例の写真である。
【図２６】Ｘ型の実施例の「イの字」型の部分の詳細写真である。
【図２７】単線の固定珠と装飾珠などを両端に入れた実施例の図面である。
【図２８】単線の固定珠と装飾珠を環状にも入れた実施例の図面である。
【符号の説明】
【００５６】１  安全輪珠
２  固定珠
３  装飾珠
４  固定珠
５  安全端珠
６  ツブシパーツ
７  ＰＵ線
８  単線の固定珠
９  単線の装飾性固定珠
2008238803.tif 000005
2008238803.tif 000006
2008238803.tif 000007
2008238803.tif 000008
【図２７】
2008238803.tif 000009
【図２８】
2008238803.tif 000010
【手続補正書】
【提出日】平成19年6月7日(2007.6.7)
【手続補正１】
【補正対象書類名】明細書
【補正対象項目名】００５５
【補正方法】変更
【補正の内容】
【００５５】
【図１】本発明実施の形態における一例を示す平面写真である。
【図２】本発明品の部材構成を示す図である
【図３】本発明品の装飾性兼備分野のアクセサリ型の実施例の写真である。
【図４】本発明品の展示型の実施例の正面写真である。
【図５】本発明品の展示型の実施例の裏面写真である。
【図６】アクセサリ型の実施例としての指輪の写真でである
【図７】アクセサリ型の実施例としてのヘアピンの写真である
【図８】アクセサリ型の実施例としての装飾珠の写真である
【図９】アクセサリ型の実施例としての装飾珠の写真である
【図１０】贈答品包装型の実施例の写真である。
【図１１】二股式アクセサリ型の実施例の写真である。
【図１２】単線十字式の実施例の写真である。
【図１３】平行斜線式の実施例の写真である。
【図１４】Ｘ式の実施例の写真である。
【図１５】ファッション式の実施例の写真である。
【図１６】二股十字式の実施例写真である。
【図１７】本発明品のオリジナルシンプルスタイルの実施例の写真である。
【図１８】文房具型の実施例の写真である。
【図１９】用具型の実施例の写真である。
【図２０】単線型の実施例の写真である。
【図２１】双線型の実施例の写真である。
【図２２】Ｘ型の実施例の写真である。
【図２３】Ｘ型の他の実施例の写真である。
【図２４】親子型の実施例の写真である。
【図２５】連環型の実施例の写真である。
【図２６】Ｘ型の実施例の順入逆出部分の詳細写真である。
【図２７】単線の固定珠と装飾珠などを両端に入れた実施例の図面である。
【図２８】単線の固定珠と装飾珠などを環状にも入れた実施例の図面である。
【手続補正２】
【補正対象書類名】図面
【補正対象項目名】全図
【補正方法】変更
【補正の内容】
【図１】
2008238803.tif 000011
【図２】
2008238803.tif 000012
【図３】
2008238803.tif 000013
【図４】
2008238803.tif 000014
【図５】
2008238803.tif 000015
【図６】
2008238803.tif 000016
【図７】
2008238803.tif 000017
【図８】
2008238803.tif 000018
【図９】
2008238803.tif 000019
【図１０】
2008238803.tif 000020
【図１１】
2008238803.tif 000021
【図１２】
2008238803.tif 000022
【図１３】
2008238803.tif 000023
【図１４】
2008238803.tif 000024
【図１５】
2008238803.tif 000025
【図１６】
2008238803.tif 000026
【図１７】
2008238803.tif 000027
【図１８】
2008238803.tif 000028
【図１９】
2008238803.tif 000029
【図２０】
2008238803.tif 000030
【図２１】
2008238803.tif 000031
【図２２】
2008238803.tif 000032
【図２３】
2008238803.tif 000033
【図２４】
2008238803.tif 000034
【図２５】
2008238803.tif 000035
【図２６】
2008238803.tif 000036
【図２７】
2008238803.tif 000037
【図２８】
2008238803.tif 000038